(57)【要約】【課題】利用者に不快感を与えずに音響出力機器に複数の音響情報を滑らかに出力させることができる音響再生制御装置を提供する。【解決手段】スピーカ１９に出力させている音響情報をフェードアウトさせつつ、スピーカ１９に次に出力させる音響情報をフェードインさせるＣＰＵ１１を備えた音響再生制御装置１において、ＣＰＵ１１は、スピーカ１９に次に出力させる音響情報の曲調を表す曲調情報を音響データベース１０等の記録媒体から取得し、取得した曲調情報に応じた時間をかけて該音響情報をフェードインさせる。【選択図】図１
2007174275.tif 000002
【特許請求の範囲】
【請求項１】
音響出力機器に出力させている音響情報をフェードアウトさせつつ、前記音響出力機器に次に出力させる音響情報をフェードインさせる制御手段を備えた音響再生制御装置において、
前記制御手段は、前記音響出力機器に次に出力させる音響情報の曲調を表す曲調情報を記録媒体から取得し、取得した曲調情報に応じた時間をかけて該音響情報をフェードインさせることを特徴とする音響再生制御装置。
【請求項２】
前記曲調情報には、対応する音響情報が表す楽曲のテンポを表す情報が含まれ、
前記制御手段は、前記テンポが遅いほど、長い時間をかけて該音響情報をフェードインさせることを特徴とする請求項１に記載の音響再生制御装置。
【請求項３】
前記曲調情報には、対応する音響情報が表す楽曲の平均音圧を表す情報が含まれ、
前記制御手段は、前記平均音圧が低いほど、長い時間をかけて該音響情報をフェードインさせることを特徴とする請求項１または請求項２に記載の音響再生制御装置。
【請求項４】
前記曲調情報には、対応する音響情報が表す楽曲の曲長を表す情報が含まれ、
前記制御手段は、前記曲長が長いほど、長い時間をかけて該音響情報をフェードインさせることを特徴とする請求項１乃至請求項３の何れかに記載の音響再生制御装置。
【請求項５】
前記曲調情報には、対応する音響情報が表す楽曲のジャンルを表す情報が含まれ、
前記制御手段は、前記ジャンルに応じた時間をかけて該音響情報をフェードインさせることを特徴とする請求項１乃至請求項４の何れかに記載の音響再生制御装置。
【請求項６】
前記制御手段は、前記音響再生制御装置が搭載された車両の運転状況を表す運転状況情報を記憶媒体から取得し、取得した運転状況情報に応じた時間をかけて前記音響出力機器に次に出力させる音響情報をフェードインさせることを特徴とする請求項１乃至請求項５の何れかに記載の音響再生制御装置。
【請求項７】
前記運転状況情報には、前記車両の移動速度を表す情報が含まれ、
前記制御手段は、前記移動速度が低いほど、長い時間をかけて前記音響出力機器に次に出力させる音響情報をフェードインさせることを特徴とする請求項６に記載の音響再生制御装置。
【請求項８】
前記運転状況情報には、前記車両が走行している道路の種別を表す情報が含まれ、
前記制御手段は、前記道路の種別に応じた時間をかけて前記音響出力機器に次に出力させる音響情報をフェードインさせることを特徴とする請求項６または請求項７に記載の音響再生制御装置。
【請求項９】
前記運転状況情報には、現在の時間帯を表す情報が含まれ、
前記制御手段は、前記時間帯に応じた時間をかけて前記音響出力機器に次に出力させる音響情報をフェードインさせることを特徴とする請求項６乃至請求項８の何れかに記載の音響再生制御装置。
【請求項１０】
前記制御手段は、順次選択された音響情報をフェードインさせる時間よりも短い時間で、利用者による入力に応じて選択された音響情報をフェードインさせることを特徴とする請求項１乃至請求項９の何れかに記載の音響再生制御装置。
【発明の詳細な説明】
【技術分野】
【０００１】
本発明は、音響情報を音響出力機器に出力させる音響再生制御装置に関する。
【背景技術】
【０００２】
従来の音響再生制御装置としては、複数の音響情報を連続して音響出力機器に出力させる場合に、音響出力機器に出力させている音響情報をフェードアウトさせつつ、フェードアウトさせている音響情報のテンポから本来のテンポになるよう次の音響情報のテンポを調節しながらフェードインさせて音響出力機器に出力させることによって、音響出力機器に複数の音響情報を滑らかに出力させるものがある（例えば、特許文献１参照）。
【特許文献１】特開平９−２３０８８０号公報
【発明の開示】
【発明が解決しようとする課題】
【０００３】
しかしながら、従来の音響再生制御装置は、音響出力機器に次に出力させる音響情報のテンポを調節してしまうため、この音響情報が表す楽曲に対する利用者のイメージが損なわれ、利用者に不快感を与えるといった問題があった。
【０００４】
本発明は、従来の問題を解決するためになされたもので、利用者に不快感を与えずに音響出力機器に複数の音響情報を滑らかに出力させることができる音響再生制御装置を提供することを目的とする。
【課題を解決するための手段】
【０００５】
本発明の音響再生制御装置は、音響出力機器に出力させている音響情報をフェードアウトさせつつ、前記音響出力機器に次に出力させる音響情報をフェードインさせる制御手段を備えた音響再生制御装置において、前記制御手段は、前記音響出力機器に次に出力させる音響情報の曲調を表す曲調情報を記録媒体から取得し、取得した曲調情報に応じた時間をかけて該音響情報をフェードインさせるように構成されている。
【０００６】
この構成により、本発明の音響再生制御装置は、音響出力機器に次に出力させる音響情報を曲調に応じた時間をかけてフェードインさせるため、利用者に不快感を与えずに音響出力機器に複数の音響情報を滑らかに出力させることができる。
【０００７】
なお、前記曲調情報には、対応する音響情報が表す楽曲のテンポを表す情報が含まれ、前記制御手段は、前記テンポが遅いほど、長い時間をかけて該音響情報をフェードインさせるようにしてもよい。
【０００８】
この構成により、本発明の音響再生制御装置は、音響出力機器に次に出力させる音響情報をテンポに応じた時間をかけてフェードインさせるため、利用者に不快感を与えずに音響出力機器に複数の音響情報を滑らかに出力させることができる。
【０００９】
また、前記曲調情報には、対応する音響情報が表す楽曲の平均音圧を表す情報が含まれ、前記制御手段は、前記平均音圧が低いほど、長い時間をかけて該音響情報をフェードインさせるようにしてもよい。
【００１０】
この構成により、本発明の音響再生制御装置は、音響出力機器に次に出力させる音響情報を平均音圧に応じた時間をかけてフェードインさせるため、利用者に不快感を与えずに音響出力機器に複数の音響情報を滑らかに出力させることができる。
【００１１】
また、前記曲調情報には、対応する音響情報が表す楽曲の曲長を表す情報が含まれ、前記制御手段は、前記曲長が長いほど、長い時間をかけて該音響情報をフェードインさせるようにしてもよい。
【００１２】
この構成により、本発明の音響再生制御装置は、音響出力機器に次に出力させる音響情報を楽曲の曲長に応じた時間をかけてフェードインさせるため、利用者に不快感を与えずに音響出力機器に複数の音響情報を滑らかに出力させることができる。
【００１３】
また、前記曲調情報には、対応する音響情報が表す楽曲のジャンルを表す情報が含まれ、前記制御手段は、前記ジャンルに応じた時間をかけて該音響情報をフェードインさせるようにしてもよい。
【００１４】
この構成により、本発明の音響再生制御装置は、音響出力機器に次に出力させる音響情報をジャンルに応じた時間をかけてフェードインさせるため、利用者に不快感を与えずに音響出力機器に複数の音響情報を滑らかに出力させることができる。
【００１５】
また、前記制御手段は、前記音響再生制御装置が搭載された車両の運転状況を表す運転状況情報を記憶媒体から取得し、取得した運転状況情報に応じた時間をかけて前記音響出力機器に次に出力させる音響情報をフェードインさせるようにしてもよい。
【００１６】
この構成により、本発明の音響再生制御装置は、音響出力機器に次に出力させる音響情報を運転状況に応じた時間をかけてフェードインさせるため、利用者に不快感を与えずに音響出力機器に複数の音響情報を滑らかに出力させることができる。
【００１７】
また、前記運転状況情報には、前記車両の移動速度を表す情報が含まれ、前記制御手段は、前記移動速度が低いほど、長い時間をかけて前記音響出力機器に次に出力させる音響情報をフェードインさせるようにしてもよい。
【００１８】
この構成により、本発明の音響再生制御装置は、音響出力機器に次に出力させる音響情報を車両の移動速度に応じた時間をかけてフェードインさせるため、利用者に不快感を与えずに音響出力機器に複数の音響情報を滑らかに出力させることができる。
【００１９】
また、前記運転状況情報には、前記車両が走行している道路の種別を表す情報が含まれ、前記制御手段は、前記道路の種別に応じた時間をかけて前記音響出力機器に次に出力させる音響情報をフェードインさせるようにしてもよい。
【００２０】
この構成により、本発明の音響再生制御装置は、音響出力機器に次に出力させる音響情報を車両が走行している道路の種別に応じた時間をかけてフェードインさせるため、利用者に不快感を与えずに音響出力機器に複数の音響情報を滑らかに出力させることができる。
【００２１】
また、前記運転状況情報には、現在の時間帯を表す情報が含まれ、前記制御手段は、前記時間帯に応じた時間をかけて前記音響出力機器に次に出力させる音響情報をフェードインさせるようにしてもよい。
【００２２】
この構成により、本発明の音響再生制御装置は、音響出力機器に次に出力させる音響情報を時間帯に応じた時間をかけてフェードインさせるため、利用者に不快感を与えずに音響出力機器に複数の音響情報を滑らかに出力させることができる。
【００２３】
また、前記制御手段は、順次選択された音響情報をフェードインさせる時間よりも短い時間で、利用者による入力に応じて選択された音響情報をフェードインさせるようにしてもよい。
【００２４】
この構成により、本発明の音響再生制御装置は、利用者の意思で選択された音響情報を順次選択された音響情報より短い時間でフェードインさせるため、利用者に不快感を与えずに音響出力機器に複数の音響情報を滑らかに出力させることができる。
【発明の効果】
【００２５】
本発明は、利用者に不快感を与えずに音響出力機器に複数の音響情報を滑らかに出力させることができるという効果を有する音響再生制御装置を提供することができる。
【発明を実施するための最良の形態】
【００２６】
以下、本発明の実施の形態について、図面を参照して説明する。
【００２７】
（第１の実施の形態）
本実施の形態では、本発明に係る音響再生制御装置をＣＰＵ（Central Processing Unit）を用いて構成した例について説明する。本発明の第１の実施の形態の音響再生制御装置を図１に示す。
【００２８】
図１において、音響再生制御装置１は、音楽等を表す音響情報が格納される音響データベース１０と、ＣＰＵ１１と、タイマ１２と、押しボタン、タッチパネルおよびリモコン等の入力装置１３と、音響情報を音響信号に変換するデコーダ１４、１５と、音響信号の出力レベルを調整するレベル調整器１６、１７と、音響信号をミキシングするミキサ１８と、音響出力機器としてのスピーカ１９とを備えている。
【００２９】
音響データベース１０は、音響再生制御装置１に設けられたハードディスク等の不揮発性の記憶媒体によって構成される。なお、音響データベース１０は、ＣＤ（Compact Disc）やＭＤ（Mini Disc）等の音響再生制御装置１に着脱可能な記憶媒体によって構成してもよく、ネットワークを介して接続された外部のサーバ装置によって構成してもよい。
【００３０】
また、音響データベース１０には、各音響情報の曲調を表す曲調情報が格納されている。この曲調情報には、対応する音響情報が表す楽曲のテンポ、平均音圧、曲長およびジャンル等を表す情報が含まれている。
【００３１】
なお、曲調情報は、ＭＰ３（MPEG-1 Audio Layer 3）規格に準拠したＩＤ３タグ情報のように音響情報に含められていてもよく、ＴＯＣ（Table of Contents）情報のようなファイル管理情報に基づいて定められるＩＤによって結び付けられて音響情報と同一または別の媒体や装置に格納されていてもよい。
【００３２】
また、曲調情報が表す各値は、音響情報の提供側で設定されたものでもよく、入力装置１３を介して利用者が設定できるものでもよく、例えば、特開２００２−１１６７５４号公報に開示されたテンポ抽出装置としてＣＰＵ１１を機能させることによって音響情報から抽出されるものでもよい。なお、曲調情報が表すテンポおよび平均音圧は、楽曲の開始位置から所定時間内における各平均値を用いてもよい。
【００３３】
デコーダ１４、１５は、例えば、ＤＳＰ（Digital Signal Processor）によって構成され、レベル調整器１６、１７は、例えば、増幅器によって構成される。
【００３４】
ＣＰＵ１１は、図示しないＲＯＭ等に記憶されたプログラムを図示しないＲＡＭに読み込んで、ＲＡＭに読み込んだプログラムを実行することによって、デコーダ１４、１５やレベル調整器１６、１７等を制御するようになっている。
【００３５】
上記プログラムを実行するＣＰＵ１１は、本発明における制御手段を構成し、音響データベース１０に格納された音響情報から１つの音響情報を選択し、選択した音響情報をデコーダ１４、１５の何れかに出力することによって音響信号に変換させてスピーカ１９に出力（以下単に「信号出力」という。）させるようになっている。
【００３６】
ここで、音響データベース１０に格納された音響情報の選択には、プレイリストに基づいた音楽再生のように音響情報が順次選択される自動選択と、利用者による入力装置１３を介した入力に応じて音響情報が選択される手動選択とがある。
【００３７】
また、ＣＰＵ１１は、スピーカ１９に信号出力させている音響情報をデコーダ１４、１５の一方に出力しているときに、スピーカ１９に信号出力させる音響情報を切り替える場合には、スピーカ１９に次に信号出力させる音響情報をデコーダ１４、１５の他方に出力し、レベル調整器１６、１７を制御して、スピーカ１９に信号出力させている音響情報をフェードアウトさせつつ、スピーカ１９に次に信号出力させる音響情報をフェードインさせるクロスフェードを施すようになっている。
【００３８】
例えば、ＣＰＵ１１は、スピーカ１９に信号出力させている音響情報をデコーダ１４に出力しているときに、スピーカ１９に信号出力させる音響情報を切り替える場合には、スピーカ１９に次に信号出力させる音響情報をデコーダ１５に出力し、レベル調整器１６を制御してデコーダ１４に出力している音響情報をフェードアウトさせつつ、レベル調整器１７を制御してデコーダ１５に出力している音響情報をフェードインさせる。
【００３９】
同様に、ＣＰＵ１１は、スピーカ１９に信号出力させている音響情報をデコーダ１５に出力しているときに、スピーカ１９に信号出力させる音響情報を切り替える場合には、スピーカ１９に次に信号出力させる音響情報をデコーダ１４に出力し、レベル調整器１７を制御してデコーダ１５に出力している音響情報をフェードアウトさせつつ、レベル調整器１６を制御してデコーダ１４に出力している音響情報をフェードインさせる。
【００４０】
以上のように構成された音響再生制御装置１について図２を用いてその動作を説明する。図２は、ＣＰＵ１１によるスピーカ１９に信号出力させる音響情報の切り替え動作を示すフロー図である。
【００４１】
まず、音響情報を切り替える場合に（Ｓ１）、ＣＰＵ１１は、スピーカ１９に次に信号出力させる音響情報が自動選択されたものであるか、手動選択されたものであるかを判断する（Ｓ２）。
【００４２】
当該音響情報が手動選択されたものであると判断した場合には、ＣＰＵ１１は、当該音響情報をフェードインさせる時間として予め定められた時間Ｔ１を選択する（Ｓ３）。
【００４３】
一方、当該音響情報が自動選択されたものであると判断した場合には、ＣＰＵ１１は、当該音響情報の曲調情報が表すテンポが予め定められた第１の閾値以上であるか否かを判断する（Ｓ４）。なお、本実施の形態においては、第１の閾値を１２０ＢＰＭとした。
【００４４】
曲調情報が表すテンポが第１の閾値以上であると判断した場合には、ＣＰＵ１１は、当該音響情報をフェードインさせる時間として時間Ｔ１を選択する（Ｓ３）。
【００４５】
一方、曲調情報が表すテンポが予め定められた第１の閾値未満であると判断した場合には、ＣＰＵ１１は、当該音響情報の曲調情報が表す平均音圧が予め定められた第２の閾値以上であるか否かを判断する（Ｓ５）。なお、本実施の形態においては、第２の閾値を−２０ｄＢとした。
【００４６】
曲調情報が表す平均音圧が第２の閾値以上であると判断した場合には、ＣＰＵ１１は、当該音響情報をフェードインさせる時間として時間Ｔ１を選択する（Ｓ３）。
【００４７】
一方、曲調情報が表す平均音圧が第２の閾値未満であると判断した場合には、ＣＰＵ１１は、当該音響情報の曲調情報が表す曲長が予め定められた第３の閾値未満であるか否かを判断する（Ｓ６）。なお、本実施の形態においては、第３の閾値を３分とした。
【００４８】
曲調情報が表す曲長が第３の閾値未満であると判断した場合には、ＣＰＵ１１は、当該音響情報をフェードインさせる時間として時間Ｔ１を選択する（Ｓ３）。
【００４９】
一方、曲調情報が表す曲長が第３の閾値以上であると判断した場合には、ＣＰＵ１１は、当該音響情報の曲調情報が表すジャンルがポップスやロックであるか否かを判断する（Ｓ７）。
【００５０】
曲調情報が表すジャンルがポップスやロックであると判断した場合には、ＣＰＵ１１は、当該音響情報をフェードインさせる時間として時間Ｔ１を選択する（Ｓ３）。
【００５１】
一方、曲調情報が表すジャンルがクラシックのようにポップスやロックではないと判断した場合には、当該音響情報をフェードインさせる時間として予め定められ、時間Ｔ１より長い時間Ｔ２を選択する（Ｓ８）。
【００５２】
次に、ＣＰＵ１１は、レベル調整器１６、１７を制御して、スピーカ１９に信号出力させている音響情報をフェードアウトさせつつ、スピーカ１９に次に信号出力させる音響情報をステップＳ３またはＳ８で選択した時間をかけてフェードインさせる（Ｓ９）。
【００５３】
上述した動作によって、スピーカ１９に信号出力させている音響情報の音量３０と、次にスピーカ１９に信号出力される音響情報の音量３１とは、ＣＰＵ１１によって時間Ｔ２が選択された場合には、図３（ａ）に示すように推移し、次にスピーカ１９に信号出力される音響情報は、時間Ｔ２をかけてフェードインされる。
【００５４】
一方、スピーカ１９に信号出力させている音響情報の音量３０と、次にスピーカ１９に信号出力される音響情報の音量３１とは、ＣＰＵ１１によって時間Ｔ１が選択された場合には、図３（ｂ）に示すように推移し、次にスピーカ１９に信号出力される音響情報は、時間Ｔ２より短い時間Ｔ１をかけてフェードインされる。
【００５５】
このような本発明の一実施の形態の音響再生制御装置１は、音響出力機器に次に出力させる音響情報を曲調に応じた時間をかけてフェードインさせるため、利用者に不快感を与えずに音響出力機器に複数の音響情報を滑らかに出力させることができる。
【００５６】
なお、音響再生制御装置１を構成するタイマ１２と、デコーダ１４、１５と、レベル調整器１６、１７と、ミキサ１８は、ＣＰＵ１１によって一体に構成してもよい。
【００５７】
また、図２において、ＣＰＵ１１が、ステップＳ４乃至Ｓ７の４つの条件を判断することによって、音響情報をフェードインさせる時間を選択するものとして説明したが、ＣＰＵ１１は、ステップＳ４乃至Ｓ７のうち少なくとも１つの条件を判断することによって、音響情報をフェードインさせる時間を選択するようにしてもよく、さらに曲調情報に含まれる他のパラメータに基づいた他の条件を判断することによって、音響情報をフェードインさせる時間を選択するようにしてもよい。
【００５８】
また、図２において、ＣＰＵ１１が、ステップＳ４乃至Ｓ７の４つの条件のうち何れかの条件が満たされている場合に、時間Ｔ１を選択するものとして説明したが、ＣＰＵ１１は、ステップＳ４乃至Ｓ７の４つの条件の全ての条件が満たされている場合に、時間Ｔ１を選択するようにしてもよい。
【００５９】
また、ＣＰＵ１１は、ステップＳ４乃至Ｓ７の４つの条件のうち、予め定めた数の条件が満たされている場合に、時間Ｔ１を選択するようにしてもよい。
【００６０】
また、ＣＰＵ１１は、ステップＳ４乃至Ｓ７の４つの条件を判断するのに代えて、曲調情報が表すテンポ、平均音圧、曲長およびジャンル等の各パラメータを数値化したものにそれぞれ重みを与えて加算することによって得られる評価値を算出し、算出した評価値に応じて音響情報をフェードインさせる時間を選択するようにしてもよい。また、ＣＰＵ１１は、算出した評価値に比例した時間をかけて音響情報をフェードインさせるようにしてもよい。
【００６１】
また、本実施の形態においては、ＣＰＵ１１が、音響情報をフェードインさせる時間を時間Ｔ１および時間Ｔ２のなかから選択するものとして説明したが、ＣＰＵ１１は、曲調情報が表すテンポ、平均音圧、曲長およびジャンル等の各パラメータに応じて、時間Ｔ１および時間Ｔ２に加えてさらに他の時間から音響情報をフェードインさせる時間を選択するようにしてもよい。
【００６２】
（第２の実施の形態）
本実施の形態では、本発明の音響再生制御装置を車両に搭載するのに好適なものとした。本発明の第２の実施の形態の音響再生制御装置を図４に示す。なお、本発明の第２の実施の形態の音響再生制御装置４０の各構成において本発明の第１の実施の形態に係る音響再生制御装置１の各構成と同様なものについては同一の符号を付して説明を省略する。
【００６３】
図４において、音響再生制御装置４０は、音響データベース１０と、ＣＰＵ１１と、タイマ１２と、入力装置１３と、デコーダ１４、１５と、レベル調整器１６、１７と、ミキサ１８と、スピーカ１９と、自車の運転状況を表す運転状況情報を記憶する運転状況情報記憶部４１とを備えている。
【００６４】
運転状況情報記憶部４１は、ハードディスク、ＲＡＭまたはフラッシュメモリ等の書き換え可能な記憶媒体によって構成される。運転状況情報には、自車の移動速度、自車が走行している道路の種別および現在の時間帯等をそれぞれ表す情報が含まれている。
【００６５】
なお、本実施の形態において、ＣＰＵ１１は、本発明の第１の実施の形態に係る音響再生制御装置１を構成するＣＰＵ１１と同一に構成されるが、ＣＰＵ１１に実行させるプログラムが、本発明の第１の実施の形態におけるＣＰＵ１１に実行させるプログラムと相違する。
【００６６】
例えば、ＣＰＵ１１は、自車の車輪の回転数に基づいて車速を検知する車速センサから得られる自車の移動速度を表す情報を運転状況情報記憶部４１に記憶する。
【００６７】
また、ＣＰＵ１１は、自車に設けられたＧＰＳ（Global Positioning System）受信機によって測られた自車の位置と、地図データベースに記憶された地図データとに基づいて判別した道路の種別を表す情報を運転状況情報記憶部４１に記憶する。
【００６８】
また、ＣＰＵ１１は、タイマ１２等から得られる信号から算出される時刻に基づいて判別した時間帯を表す情報を運転状況情報記憶部４１に記憶する。
【００６９】
以上のように構成された音響再生制御装置４０について図５および図６を用いてその動作を説明する。図５および図６は、ＣＰＵ１１によるスピーカ１９に信号出力させる音響情報の切り替え動作を示すフロー図である。
【００７０】
まず、音響情報を切り替える場合に（Ｓ２１）、ＣＰＵ１１は、スピーカ１９に次に信号出力させる音響情報が自動選択されたものであるか、手動選択されたものであるかを判断する（Ｓ２２）。
【００７１】
当該音響情報が手動選択されたものであると判断した場合には、ＣＰＵ１１は、当該音響情報をフェードインさせる時間として予め定められた時間Ｔ１を選択する（Ｓ２３）。
【００７２】
一方、当該音響情報が自動選択されたものであると判断した場合には、ＣＰＵ１１は、当該音響情報の曲調情報が表すテンポが予め定められた第１の閾値以上であるか否かを判断する（Ｓ２４）。なお、本実施の形態においては、第１の閾値を１２０ＢＰＭとした。
【００７３】
曲調情報が表すテンポが第１の閾値以上であると判断した場合には、ＣＰＵ１１は、当該音響情報をフェードインさせる時間として時間Ｔ１を選択する（Ｓ２３）。
【００７４】
一方、曲調情報が表すテンポが予め定められた第１の閾値未満であると判断した場合には、ＣＰＵ１１は、当該音響情報の曲調情報が表す平均音圧が予め定められた第２の閾値以上であるか否かを判断する（Ｓ２５）。なお、本実施の形態においては、第２の閾値を−２０ｄＢとした。
【００７５】
曲調情報が表す平均音圧が第２の閾値以上であると判断した場合には、ＣＰＵ１１は、当該音響情報をフェードインさせる時間として時間Ｔ１を選択する（Ｓ２３）。
【００７６】
一方、曲調情報が表す平均音圧が第２の閾値未満であると判断した場合には、ＣＰＵ１１は、当該音響情報の曲調情報が表す曲長が予め定められた第３の閾値未満であるか否かを判断する（Ｓ２６）。なお、本実施の形態においては、第３の閾値を３分とした。
【００７７】
曲調情報が表す曲長が第３の閾値未満であると判断した場合には、ＣＰＵ１１は、当該音響情報をフェードインさせる時間として時間Ｔ１を選択する（Ｓ２３）。
【００７８】
一方、曲調情報が表す曲長が第３の閾値以上であると判断した場合には、ＣＰＵ１１は、当該音響情報の曲調情報が表すジャンルがポップスやロックであるか否かを判断する（Ｓ２７）。
【００７９】
曲調情報が表すジャンルがポップスやロックであると判断した場合には、ＣＰＵ１１は、当該音響情報をフェードインさせる時間として時間Ｔ１を選択する（Ｓ２３）。
【００８０】
一方、曲調情報が表すジャンルがクラシックのようにポップスやロックではないと判断した場合には、ＣＰＵ１１は、運転状況情報が表す移動速度が予め定められた第４の閾値以上であるか否かを判断する（Ｓ２８）。なお、本実施の形態においては、第４の閾値を６０ｋｍ／ｈとした。
【００８１】
運転状況情報が表す移動速度が第４の閾値以上であると判断した場合には、ＣＰＵ１１は、当該音響情報をフェードインさせる時間として時間Ｔ１を選択する（Ｓ２３）。
【００８２】
一方、運転状況情報が表す移動速度が第４の閾値未満であると判断した場合には、ＣＰＵ１１は、運転状況情報が表す道路の種別が高速道路を示しているか否かを判断する（Ｓ２９）。なお、本実施の形態においては、運転状況情報が表す道路の種別は、高速道路と一般道路の何れか一方を示すものとする。
【００８３】
運転状況情報が表す道路の種別が高速道路を示していると判断した場合には、ＣＰＵ１１は、当該音響情報をフェードインさせる時間として時間Ｔ１を選択する（Ｓ２３）。
【００８４】
一方、運転状況情報が表す道路の種別が一般道路を示していると判断した場合には、ＣＰＵ１１は、現在の時間帯が昼間であるか否かを判断する（Ｓ３０）。なお、本実施の形態においては、午前６時を過ぎて午後６時までを昼間、午後６時を過ぎて午前６時までを夜間とした。
【００８５】
現在の時間帯が昼間であると判断した場合には、ＣＰＵ１１は、当該音響情報をフェードインさせる時間として時間Ｔ１を選択する（Ｓ２３）。
【００８６】
一方、現在の時間帯が夜間であると判断した場合には、ＣＰＵ１１は、当該音響情報をフェードインさせる時間として予め定められ、時間Ｔ１より長い時間Ｔ２を選択する（Ｓ３１）。
【００８７】
次に、ＣＰＵ１１は、レベル調整器１６、１７を制御して、スピーカ１９に信号出力させている音響情報をフェードアウトさせつつ、スピーカ１９に次に信号出力させる音響情報をステップＳ２３またはＳ３１で選択した時間をかけてフェードインさせる（Ｓ３２）。
【００８８】
このような本発明の第２の実施の形態の音響再生制御装置４０は、音響出力機器に次に出力させる音響情報を曲調に加えて運転状況に応じた時間をかけてフェードインさせるため、利用者に不快感を与えずに音響出力機器に複数の音響情報を滑らかに出力させることができる。
【００８９】
なお、図５および図６において、ＣＰＵ１１が、ステップＳ２４乃至Ｓ３０の７つの条件を判断することによって、音響情報をフェードインさせる時間を選択するものとして説明したが、ＣＰＵ１１は、ステップＳ２４乃至Ｓ３０のうち少なくとも１つの条件を判断することによって、音響情報をフェードインさせる時間を選択するようにしてもよく、さらに曲調情報や運転状況情報に含まれる他のパラメータに基づいた他の条件を判断することによって、音響情報をフェードインさせる時間を選択するようにしてもよい。
【００９０】
また、図５および図６において、ＣＰＵ１１が、ステップＳ２４乃至Ｓ３０の７つの条件のうち何れかの条件が満たされている場合に、時間Ｔ１を選択するものとして説明したが、ＣＰＵ１１は、ステップＳ２４乃至Ｓ３０の７つの条件の全ての条件が満たされている場合に、時間Ｔ１を選択するようにしてもよい。
【００９１】
また、ＣＰＵ１１は、ステップＳ２４乃至Ｓ３０の７つの条件のうち、予め定めた数の条件が満たされている場合に、時間Ｔ１を選択するようにしてもよい。
【００９２】
また、ＣＰＵ１１は、ステップＳ２４乃至Ｓ３０の７つの条件を判断するのに代えて、曲調情報が表すテンポ、平均音圧、曲長およびジャンル等の各パラメータ、ならびに、運転状況情報が表す自車の移動速度、自車が走行している道路の種別および現在の時間帯等の各パラメータを数値化したものにそれぞれ重みを与えて加算することによって得られる評価値を算出し、算出した評価値に応じて音響情報をフェードインさせる時間を選択するようにしてもよい。また、ＣＰＵ１１は、算出した評価値に比例した時間をかけて音響情報をフェードインさせるようにしてもよい。
【００９３】
また、本実施の形態においては、ＣＰＵ１１が、音響情報をフェードインさせる時間を時間Ｔ１および時間Ｔ２のなかから選択するものとして説明したが、ＣＰＵ１１は、曲調情報が表すテンポ、平均音圧、曲長およびジャンル等の各パラメータ、ならびに、運転状況情報が表す自車の移動速度、自車が走行している道路の種別および現在の時間帯等の各パラメータに応じて、時間Ｔ１および時間Ｔ２に加えてさらに他の時間から音響情報をフェードインさせる時間を選択するようにしてもよい。
【産業上の利用可能性】
【００９４】
以上のように、本発明にかかる音響再生制御装置は、利用者に不快感を与えずに音響出力機器に複数の音響情報を滑らかに出力させることができるという効果を有し、例えば、音響情報を音響出力機器に出力させる音響再生制御装置等として有用である。
【図面の簡単な説明】
【００９５】
【図１】本発明の第１の実施の形態における音響再生制御装置のブロック図
【図２】本発明の第１の実施の形態における音響再生制御装置の動作を説明するためのフロー図
【図３】本発明の第１の実施の形態における音響再生制御装置によるクロスフェードを説明するためのグラフ
【図４】本発明の第２の実施の形態における音響再生制御装置のブロック図
【図５】本発明の第２の実施の形態における音響再生制御装置の動作を説明するためのフロー図
【図６】図５に続くフロー図
【符号の説明】
【００９６】
１、４０  音響再生制御装置
１０  音響データベース
１１  ＣＰＵ
１２  タイマ
１３  入力装置
１４、１５  デコーダ
１６、１７  レベル調整器
１８  ミキサ
１９  スピーカ
４１  運転状況情報記憶部
【図１】
2007174275.tif 000003
【図２】
2007174275.tif 000004
【図３】
2007174275.tif 000005
【図４】
2007174275.tif 000006
【図５】
2007174275.tif 000007
【図６】
2007174275.tif 000008